(57)【要約】【課題】本発明は、液体気化装置とそれを用いたサウナ装置に関するもので、設置工事の作業性を向上することを目的とするものである。【解決手段】そしてこの目的を達成するために本発明は、吸気口９と循環口１０を有する本体ケース１１と、この本体ケース１１内において前記吸気口９と循環口１０を結んだ循環風路１２と、この循環風路１２内に設けた循環送風手段１３と、前記循環風路１２の循環送風手段１３と循環口１０間に設けた気化手段１５とを備え、前記気化手段１５は、水の噴出手段１６と、この噴出手段１６からの水の噴出方向に設けたフィルター１７とを有し、前記フィルター１７を回転自在とするとともに、このフィルター１７の下方を残水容器１８内に突入させた構成としたものである。【選択図】図２
2009183443.tif 000002
【特許請求の範囲】
【請求項１】
吸気口と循環口を有する本体ケースと、この本体ケース内において前記吸気口と循環口を結んだ循環風路と、この循環風路内に設けた循環送風手段と、前記循環風路の循環送風手段と循環口間に設けた気化手段とを備え、前記気化手段は、水の噴出手段と、この噴出手段からの水の噴出方向に設けたフィルターとを有し、前記フィルターを回転自在とするとともに、このフィルターの下方を残水容器内に突入させた構成とした液体気化装置。
【請求項２】
フィルターの上方に噴出手段からの水を噴出させる構成とした請求項１に記載の液体気化装置。
【請求項３】
残水容器内には水位検出手段を設けた請求項１または２に記載の液体気化装置。
【請求項４】
噴出手段からフィルターに向けて噴出される水を加熱する加熱手段を設けた請求項１から３のいずれか一つに記載の液体気化装置。
【請求項５】
噴出手段からの水の噴出停止後も所定時間加熱手段を駆動する請求項４に記載の液体気化装置。
【請求項６】
循環風路の気化手段と循環口間に換気口を設け、この換気口にはダンパーを設けた請求項１から５のいずれか一つに記載の液体気化装置。
【請求項７】
換気口の送風路外に換気ファンを設けた請求項６に記載の液体気化装置。
【請求項８】
換気ファン駆動時には、ダンパーを駆動して換気口を開口させるとともに、加熱手段を駆動する請求項６または７に記載の液体気化装置。
【請求項９】
換気ファンク駆動時にはフィルターを回転させる請求項７、または８に記載の液体気化装置。
【請求項１０】
請求項１から９のいずれか一つに記載の液体気化装置の循環口を、サウナ室に開口させたサウナ装置。
【発明の詳細な説明】
【技術分野】
【０００１】
本発明は、液体気化装置とそれを用いたサウナ装置に関するものである。
【背景技術】
【０００２】
例えば、サウナ装置に用いられる液体気化装置の構成は、次のような構成となっていた。
【０００３】
すなわち、吸気口と循環口を有する本体ケースと、この本体ケース内の循環風路に設けた循環送風手段と、この循環送風手段と循環口間に設けた気化手段とを備え、前記気化手段は、ノズルから液体を噴射させ、微粒化し、気化させる構成となっていた（例えば、下記特許文献１参照）。
【特許文献１】特開平６−６３１０３号公報
【発明の開示】
【発明が解決しようとする課題】
【０００４】
上記従来例において問題となるのは、非気化水を処理するための配管等を別途サウナ室に設けなければならず、設置作業性が悪くなるということであった。
【０００５】
すなわち、従来の液体気化装置は、上述のごとく、ノズルから液体を噴射させることにより液体を微粒化し、気化しているが、このように、ノズルから液体を噴射させるものでは、気化できるものは少なく、逆に気化できなかった非気化水が大量に発生し、これが廃液となるので、この廃液をサウナ室内に流すための配管工事が必要となり、設置作業性の悪いものであった。
【０００６】
そこで、本発明は、設置作業性を向上させることを目的とするものである。
【課題を解決するための手段】
【０００７】
そして、この目的を達成するために本発明は、吸気口と循環口を有する本体ケースと、この本体ケース内において前記吸気口と循環口を結んだ循環風路と、この循環風路内に設けた循環送風手段と、前記循環風路の循環送風手段と循環口間に設けた気化手段とを備え、前記気化手段は、水の噴出手段と、この噴出手段からの水の噴出方向に設けたフィルターとを有し、前記フィルターを回転自在とするとともに、このフィルターの下方を残水容器内に突入させた構成とし、これにより初期の目的を達成するものである。
【発明の効果】
【０００８】
以上のごとく本発明は、吸気口と循環口を有する本体ケースと、この本体ケース内において前記吸気口と循環口を結んだ循環風路と、この循環風路内に設けた循環送風手段と、前記循環風路の循環送風手段と循環口間に設けた気化手段とを備え、前記気化手段は、水の噴出手段と、この噴出手段からの水の噴出方向に設けたフィルターとを有し、前記フィルターを回転自在とするとともに、このフィルターの下方を残水容器内に突入させた構成としたものであるので、設置作業性の良いものとなる。
【０００９】
すなわち、本発明の気化手段は、水の噴出手段を備えているが、この噴出手段からの水の噴出方向にはフィルターを設けており、しかもこのフィルターは回転自在とするとともに、このフィルターの下方を残水容器内に突入させた構成としている。
【００１０】
このため、水の噴出手段から噴出された水の内、微粒化されたものは直ちに気化させることができ、また微粒化できなかったものはフィルターで捕らえられた後に、下方の残水容器内に貯められ、そしてこのように残水容器内にたまった水は、フィルターの回転により、再び循環送風手段からの送風により気化することができ、この結果廃水処理をする必要がなくなるので、廃水のための配管工事も不要で、その分設置作業性の良いものとなる。
【発明を実施するための最良の形態】
【００１１】
（実施の形態１）
以下、本発明の一実施形態を、添付図面を用いて説明する。
【００１２】
図１において、１はサウナ室を示し、このサウナ室１の前面壁２には、ドア３が開閉自在に設けられ、また、内部には浴槽４が設けられている。
【００１３】
また、このサウナ室１の天井面５の開口部６には、液体気化装置７が取り付けられている。
【００１４】
液体気化装置７には温水パイプ８が接続され、また図２に示すごとく、吸気口９と循環口１０を有する本体ケース１１と、この本体ケース１１内において前記吸気口９と循環口１０を結んだ循環風路１２と、この循環風路１２内に設けた循環送風手段１３と、前記循環風路１２の循環送風手段１３と循環口１０間に設けた加熱手段１４と、前記循環風路１２の加熱手段１４と循環口１０間に設けた気化手段１５とを備えた構成となっている。
【００１５】
前記気化手段１５は、温水の噴出手段１６と、この噴出手段１６からの温水の噴出方向に設けた円板状のフィルター１７とを有し、前記フィルター１７をモータ（図３の１７ａ）で回転自在とするとともに、このフィルター１７の下方を残水容器１８内に突入させた構成としている。
【００１６】
このフィルター１７の上方半分に向けて噴出手段１６からの温水を噴出させ、微粒化されたものは気化してこのフィルター１７を通過させ、気化できなかったものはこのフィルター１７で捕らえて下方の残水容器１８内に貯めるようになっている。
【００１７】
またこの残水容器１８内には水位検出手段１９を設けており、後述するがこの水位検出手段１９まで温水が貯まるまでは噴出手段１６から温水を噴出させ、その後この水位検出手段１９まで温水が貯まると噴出手段１６からの温水噴出を停止し、その後はこの残水容器１８内の温水を気化させることとなる。
【００１８】
なお、噴出手段１６からフィルター１７に向けて噴出される温水は前記加熱手段１４によって加熱され，さらに加熱されるようになっている（この加熱手段１４を設けたので、噴出手段１６から水を噴出しても、気化が可能となっている。）。
【００１９】
また、循環風路１２の気化手段１５と循環口１０間には換気口２０を設けており、この換気口２０にはダンパー２１を設け、開閉可能としている。
【００２０】
そして、換気口２０の循環風路１２外には換気ファン２２を設けている。
【００２１】
つまり、換気ファン２２駆動時には、ダンパー２１を駆動して換気口２０を開口させるとともに、加熱手段１４を駆動するようになっている。
【００２２】
上記構成において、サウナ室１内でサウナを行う時には、先ずは加熱手段１４に通電し、この加熱手段１４が十分に暖まった状態で、循環送風手段１３を駆動し、続いて噴出手段１６から温水を噴出させる。
【００２３】
噴出手段１６からの温水の噴出により、微粒化されたものは、前記加熱手段１４によって加熱された循環送風手段１３からの温風に搬送され、気化した状態で、循環口１０からサウナ室１内へと供給され、サウナに供される。
【００２４】
この時、循環口１０には、ルーバー２３が設けられているが、このルーバー２３は循環送風手段１３からの温風の風圧により可動し、循環口１０が開口するようになっている。
【００２５】
また、噴出手段１６から噴出された温水のうち、微粒化されなかったものは図３のごとくフィルター１７で捕らえて下方の残水容器１８内に貯めるようになっている。
【００２６】
そして、図４のごとく残水容器１８内の温水水位が水位検出手段１９で所定値以上と検出されると、噴出手段１６からの温水の噴出を停止し、その後はこの残水容器１８内の温水を気化させることとなる。
【００２７】
すなわち、フィルター１７は上述のごとくモータ１７ａで回転させる構造となっており、これにより残水容器１８内の温水に水没していた部分がやがては図２の加熱手段１４と対向する部分にまで回転上昇し、この状態ではフィルター１７に含まれた温水は、前記加熱手段１４によって加熱された循環送風手段１３からの温風によって気化され、この気化した状態で、循環口１０からサウナ室１内へと搬送され、サウナに供される。
【００２８】
また、この状態でその後、図４のごとく残水容器１８内の温水水位が水位検出手段１９で所定値以下と検出されると、今度は再び噴出手段１６からの温水の噴出が開始される。
【００２９】
このような動作を行わせるので、サウナ終了時でも残水容器１８内の温水はわずかしなないので、このサウナ動作終了後でも循環送風手段１３、加熱手段１４、モータ１７ａを所定時間駆動すれば、それらをサウナ室１に湿気として供給し、処理できるので、あえて廃水処理のための配管をサウナ室１に向けて設ける必要はない。
【００３０】
なお、サウナ終了後に、サウナ室１内の換気を行うためには、ダンパー２１を回動させ、換気口２０を開口させ、換気ファン２２を駆動する。
【００３１】
この時、循環送風手段１３、加熱手段１４、モータ１７ａは駆動しておらず、特に循環送風手段１３を駆動していないので、ルーバー２３は循環送風手段１３からの温風の風圧を受けず、よって循環口１０は閉じられた状態となっている。
【００３２】
このため、サウナ室１内の空気は、換気口２０を介して室外へと換気ファン２２により排出される。
【産業上の利用可能性】
【００３３】
以上のごとく本発明は、吸気口と循環口を有する本体ケースと、この本体ケース内において前記吸気口と循環口を結んだ循環風路と、この循環風路内に設けた循環送風手段と、前記循環風路の循環送風手段と循環口間に設けた気化手段とを備え、前記気化手段は、水の噴出手段と、この噴出手段からの水の噴出方向に設けたフィルターとを有し、前記フィルターを回転自在とするとともに、このフィルターの下方を残水容器内に突入させた構成としたものであるので、設置作業性の良いものとなる。
【００３４】
すなわち、本発明の気化手段は、水の噴出手段を備えているが、この噴出手段からの水の噴出方向にはフィルターを設けており、しかもこのフィルターは回転自在とするとともに、このフィルターの下方を残水容器内に突入させた構成としている。
【００３５】
このため、水の噴出手段から噴出された水のうち、微粒化されたものは直ちに気化させることができ、また微粒化できなかったものはフィルターで捕らえられた後に、下方の残水容器内に貯められ、そしてこのように残水容器内にたまった水は、フィルターの回転により、再び循環送風手段からの送風により気化することができ、この結果廃水処理をする必要がなくなるので、廃水のための配管工事も不要で、その分設置作業性の良いものとなる。
【００３６】
したがって、サウナ装置への活用が期待されるものとなる。
【図面の簡単な説明】
【００３７】
【図１】本発明の実施の形態１における液体気化装置を用いたサウナ装置の斜視図
【図２】同液体気化装置の断面図
【図３】同気化手段の拡大断面図
【図４】同気化手段の拡大断面図
【符号の説明】
【００３８】
１    サウナ室
２    前面壁
３    ドア
４    浴槽
５    天井面
６    開口部
７    液体気化装置
８    温水パイプ
９    吸気口
１０  循環口
１１  本体ケース
１２  循環風路
１３  循環送風手段
１４  加熱手段
１５  気化手段
１６  噴出手段
１７  フィルター
１８  残水容器
１９  水位検出手段
２０  換気口
２１  ダンパー
２２  換気ファン
２３  ルーバー
【図１】
2009183443.tif 000003
【図２】
2009183443.tif 000004
【図３】
2009183443.tif 000005
【図４】
2009183443.tif 000006